(57)【要約】【課題】縦置き収納紙幣の繰り出し方法において、簡易な構成で、繰り出し時に紙幣の折れ曲がりが生じるのを防止でき、不良動作の発生を抑制でき、信頼性が向上するようにする。【解決手段】収納庫の先頭の１枚目の繰り出し予定紙幣に対し予めスライドする壁１を押し当てておき、２枚目以降の繰り出し予定紙幣に対してはその直前に繰り出される紙幣を上記の壁として先頭の紙幣から順次繰り出していく。その際、壁により次の繰り出し予定紙幣のほぼ全体を押し当てるようにする。【選択図】図１
2008181235.tif 000002
【特許請求の範囲】
【請求項１】
収納庫に縦置き状態で収納された紙幣の繰り出し方法において、
前記収納庫の先頭の１枚目の繰り出し予定紙幣に対し予めスライド可能な壁を押し当てておき、
２枚目以降の繰り出し予定紙幣に対してはその直前に繰り出される紙幣を前記壁として先頭の紙幣から順次繰り出していくことを特徴とする縦置き収納紙幣の繰り出し方法。
【請求項２】
前記壁により前記繰り出し予定紙幣のほぼ全体を押し当てることを特徴とする請求項１記載の縦置き収納紙幣の繰り出し方法。
【発明の詳細な説明】
【技術分野】
【０００１】
本発明は、紙幣処理装置における紙幣の繰り出し方法、特に縦置きで収納された紙幣の繰り出しを改善した縦置き収納紙幣の繰り出し方法に関する。
【背景技術】
【０００２】
入金された紙幣を内部に保管し、必要に応じて紙幣の出金を行う紙幣処理装置は、例えば硬貨処理装置と一体となった釣銭機としてスーパーマーケットなどに設置されている。この紙幣処理装置は通常、投入された紙幣を自動的に内部に取り込んで収納庫に積載するとともに、上位装置などからの指令にしたがってその収納庫から紙幣を出金するように構成されている。
【０００３】
図３はこのような紙幣の入出金処理を行う紙幣処理装置の概略構成を示す図である。この紙幣処理装置は、投入口から投入された紙幣を搬送する搬送路１０と、搬送されてきた紙幣を金種別に収納して保管する収納庫を有している。収納庫としては、この例では釣銭に使用する千円札を収納する収納庫１１ａと、他の金種の紙幣を収納する収納庫１１ｂが設けられ、さらに収納された紙幣の金種と枚数を確認するための精査庫１２が設けられている。また搬送路１０上には、投入された紙幣の金種を判別する鑑別部１３が配置されている。１４は紙幣を内部あるいは出金口に振り分けるための振分モータ、１５ａ，１５ｂは搬送路１０上に設置された搬送モータ、１６は紙幣の収納先を切り換える切換ゲート、１７は紙幣投入時の補助用ソレノイド、１８ａ〜１８ｅは搬送路１０上の紙幣の通過を検知するセンサ、１９ａ，１９ｂは搬送路１０と各収納庫１１ａ，１１ｂとの間の通路上の紙幣の通過を検知するセンサである。
【０００４】
入金時に上記投入口から投入された紙幣は、鑑別部１３によって金種が判別され、その金種に応じた収納庫１１ａ，１１ｂに収納される。出金時には、収納庫１１ａ，１１ｂから必要な金種の紙幣が繰り出されて、出金口に排出される。また、リジェクトされた紙幣は精査庫１２に収納される。
【０００５】
図４は上記の入金時における従来の収納庫１１ａ，１１ｂの動作を示す図である。収納庫１１ａ，１１ｂは、スライドする壁１１１、固定された仕切り板１１２、ばね１１３で付勢されて紙幣Ｇを押さえ付ける壁１１４、紙幣Ｇの繰り出しを阻止する阻止ローラ１１５、収納庫１１ａ，１１ｂへの紙幣Ｇの投入を検知する投入センサ１１６、および繰り出しモータ１１７とそれにより駆動される羽根車１１８から構成されている。１１９は紙幣Ｇの一時保留部である。
【０００６】
スライドする壁１１１は、上記の収納庫１１ａ，１１ｂと精査庫１２で一体的に構成されており、収納庫１１ａ，１１ｂが入金の収納状態にあるときは精査庫１２は繰り出し状態にあり、収納庫１１ａ，１１ｂが繰り出し状態にあるときは精査庫１２は収納状態にある。すなわち、収納庫１１ａ，１１ｂと精査庫１２の収納、繰り出しは反対の状態にあり、１つのモータにより駆動される。
【０００７】
図５は出金時における従来の収納庫１１ａ，１１ｂおよび精査庫１２の動作を示す図である。精査庫１２も収納庫１１ａ，１１ｂと同様、スライドする壁２１１、固定された仕切り板２１２、ばね２１３で付勢されて紙幣Ｇを押さえ付ける壁２１４、紙幣Ｇの繰り出しを阻止する阻止ローラ２１５、収納庫１２への紙幣Ｇの投入を検知する投入センサ２１６、および繰り出しモータ２１７とそれにより駆動される羽根車２１８から構成されている。Ｇ１は繰り出される紙幣、Ｇ２はリジェクトされた紙幣をそれぞれ示している。
【０００８】
なお、図示のように、精査庫１２の入出金機構部は収納庫１１ａ，１１ｂの入出金機構部と対向して配置されているので、これらの間の紙幣の移動距離が短くなり、精査に要する時間が短縮される。また、紙幣は縦置き状態で収納されるので、収納枚数が多い場合でも筐体の小型化および薄型化を図ることができる。
【０００９】
収納庫１１ａ，１１ｂからの繰り出しを行う場合、スライドする壁１１１は図の左側の出金待機位置に移動する。これにより、壁１１４と阻止ローラ１１５により紙幣が押さえ付けられ、繰り出しモータ１１７が繰り出し方向に回転することによって、搬送路上に紙幣が繰り出される。繰り出された紙幣がリジェクト紙幣の場合は、精査庫１２に収納される。精査庫１２は、収納庫１１ａ，１１ｂが出金状態のとき収納状態にあり、収納することができる。図６は収納庫１１ａ，１１ｂを上部方向から見た平面図である。
【００１０】
また、上記のような紙幣処理装置において、繰り出し時に紙幣の折れ曲がりが生じないようにすることが提案されている。これは、紙幣繰入待機室にある紙幣をプッシャー板でソフトタッチに収容部に入れようとするもので、回転円盤に取り付けられたプッシャー板が円形循環軌跡を描くようにして、紙幣の折れ曲がりを生じさせないようにしている。
【特許文献１】特開２００４−１０３０４０号公報
【発明の開示】
【発明が解決しようとする課題】
【００１１】
しかしながら、上記のような従来の縦置き収納紙幣の繰り出し方法においては、阻止ローラで紙幣を押さえて繰り出し方向に回転させると、紙幣の中央部を阻止ローラで押さえ付けることから、図６の（Ｂ）に示すように紙幣が反るような状態となり、反った状態のまま繰り出しを行うと、反りの影響によって紙幣の角が折れてしまう。その結果、鑑別部でリジェクト紙幣となったり、あるいは摩擦抵抗の差でスキューが発生し、ジャムの要因となり、不良動作が発生するという問題点がある。また、特許文献１の紙幣処理装置ではプッシャー板で円形循環軌跡を描くようにしているので、制御系の構成が複雑なものとなる。
【００１２】
本発明は、このような点に鑑みてなされたものであり、簡易な構成で、繰り出し時に紙幣の折れ曲がりが生じるのを防止でき、不良動作の発生を抑制でき、信頼性が向上した縦置き収納紙幣の繰り出し方法を提供することを目的とする。
【課題を解決するための手段】
【００１３】
本発明では上記課題を解決するために、収納庫に縦置き状態で収納された紙幣の繰り出し方法において、前記収納庫の先頭の１枚目の繰り出し予定紙幣に対し予めスライド可能な壁を押し当てておき、２枚目以降の繰り出し予定紙幣に対してはその直前に繰り出される紙幣を前記壁として先頭の紙幣から順次繰り出していくことを特徴とする縦置き収納紙幣の繰り出し方法が提供される。
【００１４】
このような縦置き収納紙幣の繰り出し方法によれば、繰り出し予定紙幣に予め壁が押し当てられているので、簡易な構成で、繰り出し時に紙幣の折れ曲がりが生じるのを防止でき、不良動作の発生を抑制でき、信頼性が向上する。
【発明の効果】
【００１５】
本発明の縦置き収納紙幣の繰り出し方法は、繰り出し予定紙幣に予め壁が押し当てられているので、簡易な構成で、繰り出し時に紙幣の折れ曲がりが生じるのを防止でき、不良動作の発生を抑制でき、信頼性が向上するという利点がある。
【発明を実施するための最良の形態】
【００１６】
以下、本発明の実施の形態を図面を参照して説明する。
図１は本発明の実施の形態の縦置き収納紙幣の繰り出し方法を示す図である。同図に示す収納庫は、スライドする壁１、ばね２で付勢されて紙幣Ｇを押さえ付ける壁３、紙幣Ｇの繰り出しを阻止する阻止ローラ４、収納庫への紙幣Ｇの投入を検知する投入センサ５、および繰り出しモータ６とそれにより駆動される羽根車７から構成されている。
【００１７】
また、上記の収納庫は図３に示すような紙幣処理装置に組み込まれており、紙幣処理装置には収納庫に収納された紙幣の金種と枚数を確認するための精査庫が設けられている。この収納庫と精査庫にはそれぞれ紙幣の一時保留部と収納部とがあり、それらの位置関係は収納庫と精査庫とで逆になっており、互いに対向するように設置されている。そして、収納庫と精査庫で１つのモータにより同時に入金動作、出金動作が行われるが、これらの間の紙幣の移動距離は短く、精査に要する時間が短縮される。なお、紙幣は縦置き状態で収納庫および精査庫に収納されるので、収納枚数が多い場合でも筐体の小型化と薄型化を図ることができる。
【００１８】
上記構成の収納庫に縦置き状態で収納された紙幣Ｇの繰り出しの際には、収納庫の先頭の１枚目の繰り出し予定紙幣に対し予めスライド可能な壁を押し当てておき、２枚目以降の繰り出し予定紙幣に対してはその直前に繰り出される紙幣を壁として先頭の紙幣から順次繰り出していく。その際、上記壁により次の繰り出し予定紙幣のほぼ全体を押し当てるようにする。
【００１９】
すなわち、まず図１の（Ａ）に示すように、スライドする壁１を押さえ付ける壁３との間で紙幣Ｇを挟む位置まで移動させ、紙幣Ｇの繰り出し時に腰の弱い紙幣も立たせるようにする。そして、同図の（Ｂ）に示すように、繰り出しモータ６を駆動させて先頭紙幣を所定の待機位置まで繰り出し、待機状態にしておく。このとき、束になっている紙幣Ｇを分離させ、先頭紙幣のみ繰り出し可能な位置へ動かして待機させることで、２枚目以降の紙幣に対する壁として利用することができる。
【００２０】
図２は実施の形態の収納庫を上部方向から見た平面図であり、上記の繰り出し時の状態を示している。図示のように、スライドする壁１により先頭の繰り出し予定紙幣の反りなどがなくなる。
【００２１】
次に、図１の（Ｃ）に示すように、スライドする壁１を出金待機状態の位置まで移動させ、繰り出し処理を実行する。同様にして、２枚目以降の紙幣も順次束から分離させ、繰り出し待機位置に移動させたときに、次の繰り出し予定紙幣に対して壁（スライドする壁１）の役割を担わせながら順次繰り出し処理を実行する。
【００２２】
以上の動作により、繰り出し予定紙幣には予め壁が押し当てられているので、簡易な構成で、繰り出し時に紙幣の折れ曲がりが生じるのを防止でき、不良動作の発生を抑制でき、信頼性が向上する。
【図面の簡単な説明】
【００２３】
【図１】本発明の実施の形態の縦置き収納紙幣の繰り出し方法を示す図である。
【図２】実施の形態の収納庫を上部方向から見た平面図である。
【図３】紙幣処理装置の概略構成を示す図である。
【図４】入金時における従来の収納庫の動作を示す図である。
【図５】出金時における従来の収納庫および精査庫の動作を示す図である。
【図６】従来の収納庫を上部方向から見た平面図である。
【符号の説明】
【００２４】
１  スライドする壁
２  ばね
３  押さえ付ける壁
４  阻止ローラ
５  投入センサ
６  繰り出しモータ
７  羽根車
Ｇ  紙幣
【図１】
2008181235.tif 000003
【図２】
2008181235.tif 000004
【図３】
2008181235.tif 000005
【図４】
2008181235.tif 000006
【図５】
2008181235.tif 000007
【図６】
2008181235.tif 000008